(57)【特許請求の範囲】
【請求項１】
原稿から画像の読取を行い、読み取って得られた画像データを指定された送信先に送信する画像読取送信ジョブの実行が可能な画像読取装置であって、
当該画像読取送信ジョブに関するパラメータ情報についてユーザの入力を受付けるとともに、入力が受付けられたパラメータ情報に基づいて当該画像読取送信ジョブを実行するものであり、
前記画像読取送信ジョブの実行に際して指定が受付けられた送信先情報と入力が受付けられたパラメータ情報とを対応付けて記録する記録手段と、
新たな前記画像読取送信ジョブの実行に際して指定が受付けられた前記送信先情報を取得する送信先情報取得手段と、
前記取得された送信先情報に基づき前記記録手段から対応する、以前のパラメータ情報を読み出す読出手段と、
前記パラメータ情報を設定変更可能に表示するための設定欄に対し、前記読み出されたパラメータ情報を表示する表示制御手段と、
前記ユーザによる指示に応じて、前記表示されたパラメータ情報に基づき、前記新たな画像読取送信ジョブを実行するための所望のパラメータを設定する設定手段とを含む、画像読取装置。
【請求項２】
前記設定手段は、
前記取得された送信先情報が前記記録手段に複数記録されている場合、前記読出手段により読み出されたそれぞれに対応するパラメータ情報の中から１のパラメータ情報を選択する選択手段を含み、
前記選択されたパラメータ情報を基に前記所望のパラメータを設定することを特徴とする、請求項１に記載の画像読取装置。
【請求項３】
前記設定手段は、
前記読み出されたパラメータ情報の一部あるいは全部の内容を変更する変更手段を含み、
前記変更されたパラメータ情報を前記所望のパラメータとして設定することを特徴とする、請求項１または２に記載の画像読取装置。
【請求項４】
前記読出手段は、前記取得された送信先情報が前記記録手段に記録された送信先情報の先頭の一部に一致する場合、前記先頭の一部が一致する送信先情報に対応するパラメータ情報を読み出すことを特徴とする、請求項１〜３のいずれかに記載の画像読取装置。
【請求項５】
さらに、送信元情報を取得する送信元情報取得手段を含み、
前記記録手段に記録されるパラメータ情報は送信元情報を含み、
前記読出手段は、前記取得された送信先情報および前記取得された送信元情報に基づき前記記録手段から対応するパラメータ情報を読み出すことを特徴とする、請求項１〜４のいずれかに記載の画像読取装置。
【請求項６】
原稿から画像の読取を行い、読み取って得られた画像データを指定された送信先に送信する画像読取送信ジョブの実行が可能な画像読取装置であって、
当該画像読取送信ジョブに関するパラメータ情報についてユーザの入力を受付けるとともに、入力が受付けられたパラメータ情報に基づいて当該画像読取送信ジョブを実行するものであり、
前記画像読取送信ジョブの実行に際して指定が受付けられた送信元情報と入力が受付けられたパラメータ情報とを対応付けて記録する記録手段と、
新たな前記画像読取送信ジョブの実行に際して指定が受付けられた前記送信元情報を取得する送信元情報取得手段と、
前記取得された送信元情報に基づき前記記録手段から対応する、以前のパラメータ情報を読み出す読出手段と、
前記パラメータ情報を設定変更可能に表示する設定欄に対し、前記読み出されたパラメータ情報を表示する表示制御手段と、
前記ユーザによる指示に応じて、前記表示されたパラメータ情報に基づき、前記新たな画像読取送信ジョブを実行するための所望のパラメータを設定する設定手段とを含む、画像読取装置。
【請求項７】
原稿から画像の読取を行い、読み取って得られた画像データを指定された送信先に送信する画像読取送信ジョブの実行が可能な画像読取方法であって、
当該画像読取送信ジョブに関するパラメータ情報についてユーザの入力を受付けるとともに、入力が受付けられたパラメータ情報に基づいて当該画像読取送信ジョブを実行するものであり、
前記画像読取送信ジョブの実行に際して指定が受付けられた送信先情報と入力が受付けられたパラメータ情報とを対応付けて記録する記録ステップと、
新たな前記画像読取送信ジョブの実行に際して指定が受付けられた前記送信先情報を取得する送信先情報取得ステップと、
前記取得された送信先情報に基づき前記記録手段から対応する、以前のパラメータ情報を読み出す読出ステップと、
前記読み出されたパラメータ情報を表示する表示ステップと、
前記ユーザによる実行指示に応じて、前記表示されたパラメータ情報に基づき、前記新たな画像読取送信ジョブを実行するための所望のパラメータを設定する設定ステップとを含む、画像読取方法。
【請求項８】
原稿から画像の読取を行い、読み取って得られた画像データを指定された送信先に送信する画像読取送信ジョブを行なわせるための画像読取プログラムであって、
当該画像読取送信ジョブに関するパラメータ情報についてユーザの入力を受付けるとともに、入力が受付けられたパラメータ情報に基づいて当該画像読取送信ジョブを実行させるものであり、
前記画像読取送信ジョブの実行に際して指定が受付けられた送信先情報と入力が受付けられたパラメータ情報とを対応付けて記録する記録ステップと、
新たな前記画像読取送信ジョブの実行に際して指定が受付けられた前記送信先情報を取得する送信先情報取得ステップと、
前記取得された送信先情報に基づき前記記録手段から対応する、以前のパラメータ情報を読み出す読出ステップと、
前記読み出されたパラメータ情報を表示する表示ステップと、
前記ユーザによる指示に応じて、前記表示されたパラメータ情報に基づき、前記新たな画像読取送信ジョブを実行するための所望のパラメータを設定する設定ステップとをコンピュータに実行させるための、画像読取プログラム。
【請求項９】
請求項８に記載の画像読取プログラムを記録したコンピュータ読み取り可能な記録媒体。
【発明の詳細な説明】
【０００１】
【発明の属する技術分野】
本発明は画像読取装置、画像読取方法、画像読取プログラムおよび画像読取プログラムを記憶したコンピュータ読み取り可能な記録媒体に関し、特に、読取られた画像を送信する際に、過去の送信履歴をから画像読取条件、画像処理条件、送信条件等に関するパラメータを参照することで、ユーザのパラメータの設定作業を軽減することのできる画像読取装置、画像読取方法、画像読取プログラムおよび画像読取プログラムを記憶したコンピュータ読み取り可能な記録媒体に関する。
【０００２】
【従来の技術】
従来から、データ転送機能を備え、スキャナ部で読み取られた画像データを通信回線等を介して外部機器へと送信することのできるスキャナ装置が知られている。このようなスキャナ装置では、一般にスキャン送信を行なう際、宛先設定と併せて解像度設定等の画像の読取条件や送信ファイルフォーマット等の画像の転送条件などジョブに関する所定のパラメータの設定を行ない、その後に、ジョブを開始するという手順がとられる。
【０００３】
【発明が解決しようとする課題】
しかしながら、このような従来のスキャナ装置では、宛先を設定した後、毎回スキャン条件等の所定のパラメータを設定する必要があり、作業が煩雑であるという問題があった。
【０００４】
たとえば、過去にスキャン送信した宛先に新たに別の画像を送信したり、あるいは、同一宛先に同一画像を画質の条件を一部変更して再送信したりする場合がよくある。このような場合は、過去と同じ設定条件で送信するか、あるいは類似した条件でスキャン送信することが多い。
【０００５】
しかし、従来のスキャナ装置では、このように同一あるいは類似した設定条件であっても毎回設定を行なう必要があった。したがって、設定作業が面倒であり、特に、その宛先に対するスキャン条件等の設定内容がデフォルトの条件と大きく異なる場合などは、設定項目が多くなり、作業負担に加え設定ミスにもつながるという問題があった。
【０００６】
このような問題を回避すべく、たとえば、宛先をワンタッチ登録する際に、スキャンパラメータ情報も宛先情報と併せて登録することにより、送信先毎に最適なパラメータで送信することのできるスキャン装置に関する技術も知られている。しかし、この場合には、わざわざ登録作業をユーザが事前に手動で行なう必要があり、この登録作業に労力が必要とされた。
【０００７】
本発明は、かかる実情に鑑み考え出されたものであり、その目的は、過去の送信履歴を参照することで、スキャン送信（画像読取送信）時のユーザのパラメータ設定作業を軽減することのできる画像読取装置、画像読取方法、画像読取プログラムおよび画像読取プログラムを記憶したコンピュータ読取可能な記録媒体に関する。
【０００８】
【課題を解決するための手段】
上記目的を達成するために本発明のある局面に従うと、画像読取装置は、画像読取送信ジョブが実行された際の送信先情報とパラメータ情報とを対応付けて記録する記録手段と、送信先情報を取得する送信先情報取得手段と、取得された送信先情報に基づき記録手段から対応するパラメータ情報を読み出す読出手段と、読み出されたパラメータ情報を参照して、画像読取送信ジョブを実行するための所望のパラメータを設定する設定手段とを含む。
【０００９】
この発明によると、画像を読み取り該読み取られた画像を送信する画像読取送信ジョブが実行された際の送信先情報およびパラメータ情報がそれぞれ対応づけて記録される。ここでパラメータ情報とは、画像読取条件、画像処理条件、および画像転送条件の少なくとも１の条件を設定するためのパラメータに関する情報である。画像読取送信ジョブの実行時には、送信先情報が取得され、その取得された送信先情報に基づいて記録手段から対応するパラメータ情報が読み出される。このため、ユーザは送信先情報を設定するだけで過去に送信した同一送信先（または同一送信先情報を含む送信先）のパラメータ情報を得ることが可能となる。
【００１０】
そして、読み出されたパラメータ情報が参照されて、画像読取送信ジョブを実行するためのパラメータが設定される。このため、画像読取送信ジョブを実行するためのパラメータが、読み出されたパラメータ情報と同一あるいは近いものである場合、パラメータ設定作業に要するユーザの負担は軽減されることになる。
【００１１】
したがって、過去の送信履歴を参照することで、画像読取送信時のユーザのパラメータ設定作業を軽減することのできる画像読取装置を提供することが可能となる。
【００１２】
好ましくは、設定手段は、取得された送信先情報が記録手段に複数記録されている場合、読出手段により読み出されたそれぞれに対応するパラメータ情報の中から１のパラメータ情報を選択する選択手段を含み、選択されたパラメータ情報を基に所望のパラメータを設定することを特徴とする。
【００１３】
これによると、取得された送信先情報が記録手段に複数記録されている場合、ユーザによりそれぞれに対応するパラメータ情報の中から１のパラメータ情報が選択される。そして、選択されたパラメータ情報をもとに所望のパラメータが設定される。このため、過去の送信履歴の中から、現在のジョブを実行する際にユーザが所望する最適のパラメータを選択することが可能となる。
【００１４】
好ましくは、設定手段は、読み出されたパラメータ情報の一部あるいは全部の内容を変更する変更手段を含み、変更されたパラメータ情報を所望のパラメータとして設定することを特徴とする。
【００１５】
これによると、読み出されたパラメータ情報の一部あるいは全部の内容が変更され、その変更されたパラメータ情報が所望のパラメータとして設定される。このため、過去の送信履歴の中から読み出されたパラメータ情報が所望するパラメータと異なる場合であっても適切に変更することが可能となる。
【００１６】
好ましくは、読出手段は、取得された送信先情報が記録手段に記録された送信先情報の先頭の一部に一致する場合、先頭の一部が一致する送信先情報に対応するパラメータ情報を読み出すことを特徴とする。
【００１７】
これによると、送信先情報として、先頭の一部の情報が入力されるだけで、その一部の送信先情報で始まる送信先情報が検索され、対応するパラメータ情報が読み出される。このため、送信先の入力に要するユーザの負担が緩和される。
【００１８】
好ましくは、画像読取装置は、さらに、送信元情報を取得する送信元情報取得手段を含み、記録手段に記録されるパラメータ情報は送信元情報を含み、読出手段は、取得された送信先情報および取得された送信元情報に基づき記録手段から対応するパラメータ情報を読み出すことを特徴とする。
【００１９】
これによると、画像読取送信ジョブを実行する際に、送信先情報と併せて送信元情報が取得される。そして、両者に基づいて対応するパラメータ情報が読み出される。このため、ユーザが希望するパラメータをより的確に読み出すことが可能となる。
【００２０】
本発明の別の局面に従うと、画像読取装置は、画像読取送信ジョブが実行された際の送信元情報とパラメータ情報とを対応付けて記録する記録手段と、送信元情報を取得する送信元情報取得手段と、取得された送信元情報に基づき記録手段から対応するパラメータ情報を読み出す読出手段と、読み出されたパラメータ情報を参照して、画像読取送信ジョブを実行するための所望のパラメータを設定する設定手段とを含む。
【００２１】
この発明によると、画像を読み取り該読み取られた画像を送信する画像読取送信ジョブが実行された際の送信元情報およびパラメータ情報がそれぞれ対応づけて記録される。画像読取送信ジョブの実行時には、送信元情報が取得され、その取得された送信元情報に基づいて記録手段から対応するパラメータ情報が読み出される。このため、ユーザは送信元情報を設定するだけで過去に送信した同一送信元（または同一送信元情報を含む送信元）のパラメータ情報を得ることが可能となる。
【００２２】
そして、読み出されたパラメータ情報が参照されて、画像読取送信ジョブを実行するためのパラメータが設定される。このため、画像読取送信ジョブを実行するためのパラメータが、読み出されたパラメータ情報と同一あるいは近いものである場合、パラメータ設定作業に要するユーザの負担は軽減されることになる。
【００２３】
したがって、過去の送信履歴を参照することで、画像読取送信時のユーザのパラメータ設定作業を軽減することのできる画像読取装置を提供することが可能となる。
【００２４】
本発明のさらに別の局面に従うと、画像読取方法は、画像読取送信ジョブが実行された際の送信先情報とパラメータ情報とを対応付けて記録する記録ステップと、送信先情報を取得する送信先情報取得ステップと、取得された送信先情報に基づき記録ステップにおいて記録された対応するパラメータ情報を読み出す読出ステップと、読み出されたパラメータ情報を参照して、画像読取送信ジョブを実行するための所望のパラメータを設定する設定ステップとを含む。
【００２５】
この発明によると、画像を読み取り該読み取られた画像を送信する画像読取送信ジョブが実行された際の送信先情報およびパラメータ情報がそれぞれ対応づけて記録される。画像読取送信ジョブの実行時には、送信先情報が取得され、その取得された送信先情報に基づいて記録手段から対応するパラメータ情報が読み出される。このため、ユーザは送信先情報を設定するだけで過去に送信した同一送信先（または同一送信先情報を含む送信先）のパラメータ情報を得ることが可能となる。
【００２６】
そして、読み出されたパラメータ情報が参照されて、画像読取送信ジョブを実行するためのパラメータが設定される。このため、画像読取送信ジョブを実行するためのパラメータが、読み出されたパラメータ情報と同一あるいは近いものである場合、パラメータ設定作業に要するユーザの負担は軽減されることになる。
【００２７】
したがって、過去の送信履歴を参照することで、画像読取送信時のユーザのパラメータ設定作業を軽減することのできる画像読取方法を提供することが可能となる。
【００２８】
本発明のさらに別の局面に従うと、画像読取プログラムは、画像読取送信ジョブが実行された際の送信先情報とパラメータ情報とを対応付けて記録する記録ステップと、送信先情報を取得する送信先情報取得ステップと、取得された送信先情報に基づき記録ステップにおいて記録された対応するパラメータ情報を読み出す読出ステップと、読み出されたパラメータ情報を参照して、画像読取送信ジョブを実行するための所望のパラメータを設定する設定ステップとをコンピュータに実行させる。
【００２９】
この発明によると、過去の送信履歴を参照することで、画像読取送信時のユーザのパラメータ設定作業を軽減することのできる画像読取プログラムを提供することが可能となる。
【００３０】
本発明のさらに別の局面に従うと、コンピュータ読取可能な記録媒体は、上記の画像読取プログラムを記録する。
【００３１】
この発明によると、過去の送信履歴を参照することで、画像読取送信時のユーザのパラメータ設定作業を軽減することのできる画像読取プログラムを記録したコンピュータ読み取り可能な記録媒体を提供することが可能となる。
【００３２】
【発明の実施の形態】
以下、本発明の実施の形態について図面を参照しながら詳細に説明する。
【００３３】
図１は、本発明の実施の形態における画像読取装置１００の全体構成を示したブロック図である。本図を参照して、画像読取装置１００は、原稿画像を読み取るスキャン部１０１と、読み取られた画像に対して画像処理を施す画像処理部１０３と、送信先やスキャン条件、送信条件等の各種パラメータを入力するための操作パネル部１０５と、画像処理の施された画像データを転送するための画像転送部１０９と、ネットワークとのインターフェイスであるネットワークＩ／Ｆ部１０７と、送信履歴情報を記録するための送信履歴保持部１１３と、操作パネル部１０５からの入力条件に基づいて、送信履歴保持部１１３から適切なジョブ情報を検索するジョブ情報検索部１１１と、装置全体を制御する制御部１１５とを含む。
【００３４】
スキャン部１０１は、操作パネル部１０５で設定されたスキャン条件に基づいて原稿画像をスキャンし、画像処理部１０３へと画像データを転送する。画像処理部１０３は、スキャン部１０１から受信した画像データに対して、操作パネル部１０５で設定された画像処理条件に基づいた適切な画像処理を行なう。画像転送部１０９は、操作パネル部１０５で設定された送信条件に基づいて送信先を決定し、画像処理の施された画像データを、ネットワークＩ／Ｆ部１０７を介して送信先へと送信する。
【００３５】
送信履歴保持部１１３は、ジョブが実行される都度、操作パネル部１０５におけるジョブに関する一連のパラメータ設定情報を、宛先情報に対応づけて記録する。
【００３６】
ジョブ情報検索部１１１は、ユーザからの検索指示に基づいて、送信履歴保持部１１３から所望のジョブ情報を検索する。すなわち、操作パネル部１０５において、ユーザにより送信先の宛先が設定され検索指示が出されると、送信履歴保持部１１３の中から、該当する宛先情報に対応したジョブ情報が検索される。検索結果であるジョブ情報は操作パネル部１０５に表示される。
【００３７】
ユーザは表示された内容を参照して、再度検索指示を出すか、パラメータの変更入力を行なうか、あるいはスキャン開始指示を出すか等を決定する。
【００３８】
図２は、画像読取装置１００の操作パネル部１０５の画面構成例を示した図である。本図を参照して、操作パネル部１０５は、ここでは左側に、送信設定、原稿読取条件、画像処理条件、および転送条件等の各種パラメータを設定するためのジョブ条件設定部を備える。そして、右側に、送信設定に基づいて検索を開始させるための検索キー２０９と、スキャン処理を開始させるためのスキャンキー２１１と、ジョブをキャンセルあるいは操作パネル設定の内容をリセットするためのストップキー２１０とを備える。
【００３９】
ジョブ条件設定部には、送信先情報（２０１）および送信元情報（２０２）の他に、原稿読取条件として、原稿サイズ（２０３）、濃度（２０８）、解像度（２０５）が、画像処理（または転送）条件として、ファイル形式（２０４）、原稿種類（２０６）、階調（２０７）が、それぞれユーザ設定可能となっている。
【００４０】
なお、原稿種類は、これを設定することによりその原稿に応じた画像処理、たとえばディザ処理、誤差拡散法等が設定されることになる。
【００４１】
各種設定項目には送信先（２０１）および送信元（２０２）を除いてデフォルト値があり、電源起動時、あるいはパネルリセット状態において、そのデフォルト値が画面上に表示される。
【００４２】
すなわち、たとえば電源起動時には、送信先（２０１）および送信元（２０２）の各欄はブランクとなっており、原稿サイズ（２０３）、ファイル形式（２０４）、解像度（２０５）、原稿種類（２０６）、階調（２０７）、濃度（２０８）には本図に示すようなデフォルト値がそれぞれ表示される。
【００４３】
なお、送信元（２０２）に関しても、送信元アドレス等のデフォルトを設け、これを他のパラメータと同様に表示させるようにしてもよい。
【００４４】
ユーザが送信先情報（２０１）を入力あるいは選択した後、検索キー２０９のいずれか（上向きキーまたは下向きキー）を押下すると、送信先情報（２０１）に基づいた検索が開始される。つまり、送信履歴保持部１１３の中から、設定された送信先情報と同一文字で始まる送信先情報が順に検索され、該当するものがあればそれに対応したジョブ情報が読み出され、操作パネル画面１０５に表示される。
【００４５】
図３は、図１の送信履歴保持部１１３に記録されたジョブ情報のリスト（以下「履歴テーブル」という）の例を示した図である。ここでは、各ジョブ情報はＪｏｂＩＤを用いて管理される。各ジョブに対しては、図２の操作パネルで示した設定項目に対応して、送信先、送信元、原稿サイズ、ファイル形式、解像度、原稿種類、階調、および濃度の各設定情報が履歴テーブルに記憶される。
【００４６】
新たなジョブが実行されると、ＪｏｂＩＤが加算され、そのＪｏｂＩＤとジョブ情報とが履歴テーブルの先頭に追加される。そして、送信履歴保持部１１３のメモリ容量が一杯になった時点で古いジョブ情報（履歴テーブルでは最下欄）から順に削除される。
【００４７】
次に、図２および図３を用いて、具体的に検索が行なわれる例を説明する。
たとえば、yamada＠aaa.comを送信先情報として送信先（２０１）に入力した後に、下向きの検索キー２０９が押下されたとする（なお、送信元（２０２）はブランク）。すると、ＪｏｂＩＤの先頭（図３の例ではＪｏｂＩＤが９）から、下方に順に同一文字で始まる送信先が検索される。ここでは、ＪｏｂＩＤ８で送信先情報が一致するため、ＪｏｂＩＤ８で管理するすべてのジョブ情報が読み出され、操作パネル部１０５の画面上に表示される。このため、ユーザは過去にyamada＠aaa.comに送信したときのジョブの設定内容を容易に再現することが可能となる。
【００４８】
なお、ジョブ情報を読み出して操作パネル部１０５の画面上に表示した後に、再度、任意に設定内容を変更することも可能である。このため、過去に送信した条件から一部（たとえば解像度）だけを変更するなどして、過去のジョブ情報に類似した設定内容を容易に設定することも可能となる。
【００４９】
ＪｏｂＩＤ８のジョブ情報を読み出した後で、さらに下向きの検索キー２０９を押下すると、次に一致するジョブ情報が読み出される。ここでは、ＪｏｂＩＤ８の次（ＪｏｂＩＤ７）から再び検索が行なわれ、ＪｏｂＩＤ６で送信先情報が一致するため、それに対応して登録されているジョブ情報が操作パネル部１０５の画面上に呼び出されることになる。この操作を繰り返すことで同一送信先に過去に送った条件の中から、最適な条件を選択することができる。
【００５０】
なお、送信先の設定で、yamada＠aaa.comの代わりにyamada＠aaaあるいはyamadaと先頭の一部だけの入力を行なった後、検索キー２０９を押下しても、対応する送信先を検出することが可能である。ここでは、完全一致での検索ではなく、同一文字列（あるいは数値）で始まるものを検出することができる。したがって、最終的には完全一致の場合と同じ所望の検索結果を得ることができる。
【００５１】
このように、最後まで面倒な入力作業を行なわなくても、先頭の一部だけの入力を行なうことにより同一目的が達成されるため、ユーザの作業労力をより一層軽減することが可能となる。
【００５２】
なお、入力された送信先設定と同一文字列で始まる複数の送信先が送信履歴保持部１１３の履歴テーブルに登録されている場合は、それらすべてが順に検索指示に応じて検索結果として操作パネル部１０５に反映される。
【００５３】
操作パネル部１０５のデフォルト状態から、送信先情報（２０１）の代わりに送信元情報（２０２）が入力され、その後、検索キー２０９が押される場合がある。この場合は、送信先情報の代わりに送信元情報をもとにして検索が行なわれる。そして、履歴テーブルの中に同一文字情報で始まる送信元情報があると、それに対応するジョブ情報が検索結果として操作パネル部１０５の画面上に表示される。
【００５４】
たとえば、送信元情報（２０２）としてsato＠bbb.comを入力した後、下向きの検索キー２０９が押下されると、図３に示すように、まずＪｏｂＩＤ９が一致する。よって、そのジョブ情報がパネル部１０５の画面上に表示されることになる。
【００５５】
送信元情報（２０２）は、装置のメールアドレス等がデフォルトとして入っている場合が多いが、ユーザは任意にその内容を変更することが可能である。したがって、たとえば同一の画像を異なる複数の送信先に送信したい場合などは、送信元情報を変更入力し、これを共通とすることによって、容易にその送信元情報に対応して登録されたジョブ情報を呼び出すことが可能となる。
【００５６】
また、デフォルト（パネルリセット）状態から、ユーザが送信先情報（２０１）と送信元情報（２０２）の両方を入力し、その後検索キー２０９を押すことにより、送信先情報と送信元情報の両方の条件をもとに履歴テーブルの中から該当するジョブ情報を検索し、操作パネル部１０５の画面上に呼び出すことも可能である。
【００５７】
たとえば、送信先情報（２０１）としてyamada＠aaa.com、送信元情報（２０２）としてsato＠bbb.comが設定された後、下向きの検索キー２０９が押下される。この場合、まず、ＪｏｂＩＤ６が一致するため、そのジョブ情報がパネル操作部１０５の画面上に表示されることになる。
【００５８】
このように、画像読取装置１００では、送信先情報（２０１）または送信元情報（２０２）、あるいは両者を検索キーとして、履歴テーブルから所望のジョブ情報を検索することができる。したがって、過去の送信履歴を参照して、ジョブに関するパラメータを容易に設定することが可能となりユーザの作業負担が大幅に軽減される。
【００５９】
最後に、図４のフローチャートを用いて、画像読取装置１００の制御部１１５が操作パネル部１０５からの検索指示に応じてジョブ情報の検索を行なう場合の処理の流れを詳細に説明する。
【００６０】
図４を参照して、まず、ステップＳ４０１において、検索開始ＩＤに履歴テーブル中の先頭ＪｏｂＩＤ（あるいは最後に実行されたＪｏｂＩＤ）がセットされる。次に、ステップＳ４０３において、操作パネル部１０５の検索キー２０９が押下されたか否かが判断される。
【００６１】
検索キー２０９が押下されたと判断された場合は、送信先（２０１）を基とした検索なのか送信元（２０２）を基にした検索なのか、あるいは両方を基にした検索なのかが判断され、その判断に応じた検索処理が行なわれる（ステップＳ４０５からステップＳ４１５）。
【００６２】
すなわち、まずステップＳ４０５において、送信先情報（２０１）が入力されたか否かが判断される。送信先情報が入力されていない場合（ステップＳ４０５で“Ｎｏ”）、ステップＳ４０７で送信元情報（２０２）が入力されているか否かが判断される。送信元情報が入力されている場合は（ステップＳ４０７で“Ｙｅｓ”）、ステップＳ４０９において、送信元（２０２）をキーとした検索処理が行なわれる。
【００６３】
入力された送信元情報と同一文字列で始まる送信元が、検索開始ＩＤから順に履歴テーブルの中から検索される。このとき、検索キー２０９が上向きキーの場合はＪｏｂＩＤが加算されながら順次検索され、検索キー２０９が下向きキーの場合はＪｏｂＩＤが減算されながら順次検索される。
【００６４】
ステップＳ４０５において、送信先情報（２０１）が入力されていると判断された場合は、（ステップＳ４０５で“Ｙｅｓ”）、ステップＳ４１１において、送信元情報（２０２）が入力されているか否かが判断される。送信元情報が入力されていない場合は（ステップＳ４１１で“Ｎｏ”）、ステップＳ４１３において、入力された送信先情報で始まる送信先が検索開始ＩＤから順に履歴テーブルの中から検索される。
【００６５】
一方、ステップＳ４１１において、送信元情報が入力されていると判断された場合は（ステップＳ４１１で“Ｙｅｓ”）、ステップＳ４１５において、入力された送信先情報で始まる送信先と入力された送信元情報で始まる送信元の両方を満たすジョブ情報が検索開始ＩＤから順に履歴テーブルの中から検索される。
【００６６】
このようにして、送信先情報（２０１）または送信元情報（２０２）、あるいはこの両方に基づいて履歴テーブルの中からジョブ情報の検索処理が行なわれ、これが終了すると、ステップＳ４１７においてジョブ情報が検出されたか否かが判断される。該当するジョブ情報が検出されなかった場合は（ステップＳ４１７で“Ｎｏ”）、ステップＳ４２３において、検出できなかった旨が操作パネル部１０５に表示される。そして、ステップＳ４０３の処理へと戻る。
【００６７】
一方、ジョブ情報が検出された場合は（ステップＳ４１７で“Ｙｅｓ”）、ステップＳ４１９において、検出されたＪｏｂＩＤの各パラメータが操作パネル部１０５の画面に表示される。そして、ステップＳ４２１において、検出されたＪｏｂＩＤから１を減算（または加算）した値が検索開始ＩＤにセット、ステップＳ４０３の処理へと戻る。
【００６８】
操作パネル部１０５に各パラメータが表示されると、ユーザは、その表示内容を参照して、再度検索キー２０９を押下するか、パラメータを変更入力するか、スキャン開始のためのスキャンキー２１１を押下するか、あるいは、操作パネル部１０５の表示内容をリセットするためのストップキー２１０を押下するかのいずれかを行なう。
【００６９】
ステップＳ４０３において、検索キー２０９が押下されていないと判断された場合は（ステップＳ４０３で“Ｎｏ”）、ステップＳ４２５において、スキャンキー２１１が押下されてスキャンジョブ送信が完了したか、あるいは、ストップキー２１０が押下されて、ジョブがキャンセルされたかが判断される。
【００７０】
スキャンジョブの送信完了あるいはジョブキャンセルである場合は（ステップＳ４２５で“Ｙｅｓ”）、操作パネル部１０５がリセットされてデフォルト値が表示された状態となり、再びステップＳ４０１の処理へと戻る。スキャンジョブ送信完了またはジョブキャンセルではない場合（ステップＳ４２５で“Ｎｏ”）、すなわち操作パネル部１０５がリセットされていない場合は、ステップＳ４０３の処理へと戻る。
【００７１】
このようにして、制御部１１５は、ユーザによる操作パネル部１０５からの指示に応じて、ジョブ情報検索部１１１を制御し、送信履歴保持部１１３の中から適切なジョブ情報の検索を行なう。
【００７２】
したがって、本実施の形態における画像読取装置１００によると、ユーザは、過去に送信した同一の送信先情報を参照して、容易にジョブに関するパラメータの設定を行なうことが可能となる。このため、設定に要する作業労力が軽減され、一層使い勝手が向上する。
【００７３】
なお、今回示した画像読取装置１００が行なう画像読取方法は、上述した一連の処理動作を機能させるためのプログラムによって実現されることができる。画像読取プログラムは、予め画像読取装置１００内にインストールされたものであってもよいし、ＣＤ−ＲＯＭ、磁気テープのような取外し可能な記録媒体に記録されたものであってもよい。いずれにせよ、画像読取プログラムはコンピュータ読み取り可能な記録媒体に記録されている。
【００７４】
なお、コンピュータ読み取り可能な記録媒体としては、磁気テープやカセットテープなどのテープ系、磁気ディスク（フレキシブルディスク、ハードディスク装置等）や光ディスク（ＣＤ−ＲＯＭ／ＭＯ／ＭＤ／ＤＶＤ等）などのディスク系、ＩＣカード（メモリカードを含む）や光カードなどのカード系、あるいはＲＯＭ、ＥＰＲＯＭ、ＥＥＰＲＯＭ、フラッシュＲＯＭなどの半導体メモリ等の固定的にプログラムを担持する媒体が考えられる。
【００７５】
なお、記録媒体に格納される内容としては、プログラムに限定されず、データであってもよい。
【００７６】
なお、本実施の形態においてはＥ−Ｍａｉｌによる送信方法を利用した場合の例が示されているが、たとえばＦＴＰ（file transfer protocol）送信等の別の方法を用いる場合も同様に本発明を適用することが可能である。
【００７７】
ＦＴＰでは、送信先情報として相手先のＩＰアドレスを指定することで、フォルダ別にジョブ設定を行なうことが可能である。このため、個人（フォルダ）に対して所定のフォーマットでスキャンジョブを実行させるようにする場合にも本発明が適用可能となる。
【００７８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】  本発明の実施の形態における画像読取装置１００の全体構成を示したブロック図である。
【図２】  画像読取装置１００の操作パネル部１０５の画面構成例を示した図である。
【図３】  図１の送信履歴保持部１１３に記録されたジョブ情報のリスト（履歴テーブル）の例を示した図である。
【図４】  画像読取装置１００の制御部１１５が操作パネル部１０５からの検索指示に応じてジョブ情報の検索を行なう場合の処理の流れを示したフローチャートである。
【符号の説明】
１００  画像読取装置、１０１  スキャン部、１０３  画像処理部、１０５  操作パネル部、１０７  ネットワークＩ／Ｆ部、１０９  画像転送部、１１１  ジョブ情報検索部、１１３  送信履歴保持部、１１５  制御部。
【図１】
0004081984.tif 000002
【図２】
0004081984.tif 000003
【図３】
0004081984.tif 000004
【図４】
0004081984.tif 000005